(57)【要約】【課題】  使い易い会計伝票を提供する。【解決手段】  注文用伝票用紙２の上面に、この注文用伝票用紙と同一幅である控え用複写伝票用紙３を重ねて配置し、片側縁部３２の裏面が注文用伝票用紙の片側端部表面の接着部４に貼り付けられ、注文用伝票用紙２には、上部側に設けてある合計金額記録部２１に連続して下端にまで及ぶと共に注文を記録する注文欄２２ａを印刷してある注文記録部２２を設け、控え用複写伝票用紙３は、全面に上記注文記録部と同一構成であって、かつその長さが一致している注文記録部３１を設けてある。【選択図】        図１
0003157021.tif 000002
【実用新案登録請求の範囲】
【請求項１】
注文用伝票用紙と、この注文用伝票用紙と同一幅であって、その表面に重ねて配置されている控え用複写伝票用紙と、この控え用複写伝票用紙と上記注文用伝票用紙との双方の幅方向の片側縁部間を結合する接着部とからなり、
上記注文用伝票用紙は、上部側に料金の合計を記録する合計欄を印刷してある合計金額記録部と、この合計金額記録部に連続して下端にまで及ぶと共に注文を記録する注文欄を印刷してある注文記録部とを設けてあり、
上記控え用複写伝票用紙は、全面に上記注文記録部と同一構成であって、かつその長さが一致している注文記録部を設けてあり、
上記控え用複写伝票用紙は、片側縁部が上記注文用伝票用紙上で上記接着部によって接着されており、上記注文記録部の注文欄が上記注文用伝票用紙の上記注文記録部の注文欄と表裏関係において対応している
ことを特徴とする飲食店用の会計伝票。
【請求項２】
接着部は、注文用伝票用紙の片側縁部の表面に設けられており、控え用複写伝票用紙の片側縁部の裏面が上記接着部に貼り付けられていることを特徴とする請求項１記載の飲食店用の会計伝票。
【請求項３】
接着部は、注文用伝票用紙及び控え用複写伝票用紙の各片側縁部の端面に設けられており、上記双方の伝票用紙が互いに結合されていることを特徴とする請求項１記載の飲食店用の会計伝票。
【考案の詳細な説明】
【技術分野】
【０００１】
この考案は、飲食店において利用される会計伝票に関するものである。
【背景技術】
【０００２】
飲食店用の会計伝票として、例えば特開２００２−２３４２７８号公報に記載の会計伝票（以下「従来例」という。）が提案されている。
従来例は、伝票本体とこの伝票本体上に重ねられている伝票複写部とからなる複写式のものである。伝票本体と伝票複写部とはいずれも同一構成である。
従来例を含めて従来の飲食店用の会計伝票は、顧客の注文の記録が複写されている注文伝票用紙と、調理場に渡す控え用複写伝票用紙とを重ね合わせて、双方の用紙の上端縁部が接着のりによって一体化されている。注文伝票用紙と控え用複写伝票用紙とはいずれも同一の大きさであって、記入欄も同一構成である。
飲食店用の会計伝票を使用するに際して、予め伝票ホルダー上に会計伝票を載せて、上端部側をクリップで止めた状態で、使用者は顧客の注文に応じて品名などを控え用複写伝票用紙に記録する。注文記録は注文伝票用紙に複写記録される。注文を終えた後は、クリップによる固定を解除して伝票ホルダーから会計伝票を離すと共に、控え用複写伝票用紙を注文伝票用紙から剥がして調理場に渡し、注文伝票用紙をクリップによって伝票ホルダー上に固定して顧客の席に置くか又は所定場所に保管しているのが実情であった。
【先行技術文献】
【特許文献】
【０００３】
【特許文献１】特開２００２−２３４２７８号公報
【考案の概要】
【考案が解決しようとする課題】
【０００４】
従来の飲食店用の会計伝票によれば、顧客の注文を終えた後に、控え用複写伝票用紙を調理場に渡すために注文伝票用紙から剥がす前に、会計伝票を一旦伝票ホルダーのクリップから離さなければならず、その取扱いが面倒であり、使い難かった。
この考案の目的は、使い易い会計伝票を提供することにある。
【課題を解決するための手段】
【０００５】
この考案に係る飲食店用の会計伝票は、注文用伝票用紙と、この注文用伝票用紙と同一幅であって、その表面に重ねて配置されている控え用複写伝票用紙と、この控え用複写伝票用紙と上記注文用伝票用紙との双方の幅方向の片側縁部間を結合する接着部とからなるものである。上記注文用伝票用紙は、上部側に料金の合計を記録する合計欄を印刷してある合計金額記録部と、この合計金額記録部に連続して下端にまで及ぶと共に注文を記録する注文欄を印刷してある注文記録部とを設けてある。上記控え用複写伝票用紙は、全面に上記注文記録部と同一構成であって、かつその長さが一致している注文記録部を設けてある。上記控え用複写伝票用紙は、片側縁部が上記注文用伝票用紙上で上記接着部によって接着されており、上記注文記録部の注文欄が上記注文用伝票用紙の上記注文記録部の注文欄と表裏関係において対応している。
上記接着部は、注文用伝票用紙の片側縁部の表面に設けられており、控え用複写伝票用紙の片側縁部の裏面が上記接着部に貼り付けられているもの、また上記注文用伝票用紙及び控え用複写伝票用紙の各片側縁部の端面に設けられているものを含む。
【考案の効果】
【０００６】
この考案の会計伝票によれば、会計伝票を伝票ホルダーに固定したままの状態で控え用複写伝票用紙を注文用伝票用紙から剥離することができ、そして控え用複写伝票用紙の片側縁部を中心として側方に剥がすので、使い易い会計伝票を提供することができる。
【図面の簡単な説明】
【０００７】
【図１】この考案に係る飲食店用の会計伝票を分解した状態を示す正面図である。
【図２】この考案に係る飲食店用の会計伝票を示す一部切欠正面図である。
【図３】この考案に係る飲食店用の会計伝票を伝票ホルダーに取り付けている状態を示す正面図である。
【図４】図３の状態にある飲食店用の会計伝票における控え用複写伝票用紙から注文用伝票用紙を剥がす一過程を示す正面図である。
【考案を実施するための形態】
【０００８】
この考案に係る飲食店用の会計伝票の実施形態について説明する。
図１及び図２に示す会計伝票１は、注文用伝票用紙２と、この注文用伝票用紙の表面に重ねて配置されている控え用複写伝票用紙３と、この控え用複写伝票用紙と上記注文用伝票用紙との双方の幅方向の片側縁部間を結合する接着部４とからなる。
【０００９】
図１及び図２において、注文用伝票用紙２は、上部側に料金の合計を記録する合計欄２１ａを印刷してある合計金額記録部２１と、この合計金額記録部に連続して下端にまで及ぶと共に、注文を記録する注文欄２２ａを印刷してある注文記録部２２とを設けてある。
合計金額記録部２１には、合計欄２１ａの他に日付、客数及び担当者名を記入するためのデータ記入欄２１ｂを隣接して設けてある。
注文記録部２２の注文欄２２ａは、図１では幅方向に左端から右端に向けてテーブル番号、品名、数量及び金額を記入する記入欄によって構成されており、上下方向に複数段設けられている。
【００１０】
控え用複写伝票用紙３は、図２に示すように注文用伝票用紙２と同一幅であって、注文用伝票用紙の注文記録部２２上に重ね合わされている。控え用複写伝票用紙３は、全面に注文用伝票用紙２の注文記録部２２と同一構成であって、かつその長さが一致している注文記録部３１を設けてある。注文記録部３１に設けてある注文欄３１ａは、注文用伝票用紙２の注文記録部の注文欄２２ａと表裏関係において対応している。
【００１１】
図１において、接着部４は注文用伝票用紙２の幅方向（図左右方向）の片側縁部（図右側縁部）に設けられており、図に示す例では、注文用伝票用紙の片側縁部の表面に設けられている。接着部４は注文用伝票用紙２の表面に所定幅に接着のりが塗布されており、図１ではその存在を明確にするために灰色の細い帯状に表示されている。接着部４の長さは注文用伝票用紙２の注文記録部２２の長さに等しい。
【００１２】
注文用伝票用紙２と控え用複写伝票用紙３との結合関係を説明する。
図１及び図２において、控え用複写伝票用紙３は、片側縁部３２（図１右側縁部）が注文用伝票用紙２の片側縁部の表面の接着部４によって接着され、図示の例では片側縁部の裏面が接着部に貼られている。控え用複写伝票用紙３は、片側縁部３２のみが注文用伝票用紙２に貼り付けられているが、それ以外の部分は貼り付けられていない。接着部４による接着力は、注文用伝票用紙２上から控え用複写伝票用紙３を図２左側から右側に向けて容易に剥離することができる程度の粘着力に設定されている。
このため、あたかも見開きの本の頁をめくる様なイメージで、注文用伝票用紙２から控え用複写伝票用紙３を側方（片側縁部３２側）に向けて、すなわち控え用複写伝票用紙を片開きするように剥がすことができる。
【００１３】
会計伝票１の使用方法について図３及び図４を参照して説明する。
図３に示すように、予め伝票ホルダー５上に会計伝票１を載せて、上端部側をクリップ６で止めておく。
顧客からの注文があった際には、使用者は伝票ホルダー５を持ちながら、注文に応じて品名などを会計伝票１の控え用複写伝票用紙３の注文記録部３１の注文欄３１ａに記録する（図３）。注文記録は、注文用伝票用紙２の注文記録部２２の注文欄２２ａに複写記録される（図４参照）。同時に、注文用伝票用紙２のデータ記入欄２１ｂにも日付及び顧客人数などを記録する。
注文を終えた後は、使用者は図４に示すように記録された会計伝票１を伝票ホルダー５のクリップ６で止めたままの状態で、控え用複写伝票用紙３を注文用伝票用紙から剥がして調理場に渡し、注文用伝票用紙２を保持している伝票ホルダーを顧客の席に置くか又は所定場所に保管する。
控え用複写伝票用紙３を剥がす場合、使用者は一方の手で伝票ホルダー５を持ちながら、他方の手を使って上記控え用複写伝票用紙の図３の左上側の隅を持って下方にかつ図４矢印方向に引っ張れば簡単に剥がすことができる。
【００１４】
図１に示す会計伝票によれば、会計伝票１を伝票ホルダー５にクリップ６で止めたままの状態で控え用複写伝票用紙３を注文用伝票用紙２から剥離することができ、従来のように伝票ホルダー５から会計伝票を一旦外す必要がないから使い易い会計伝票を提供することができる。そして控え用複写伝票用紙３を注文用伝票用紙２から剥がす際、その片側縁部３２を中心として側方に引っ張れば良いので、剥がし易くなり会計伝票の使い勝手がよい。
【００１５】
接着部４が設けられる注文用伝票用紙２の片側縁部は、図１に示す例では注文用伝票用紙の右側端部表面であるが、注文用伝票用紙２及び控え用複写伝票用紙３のそれぞれの右側端部の端面（背部）であっても良い。
注文用伝票用紙２の片側縁部は、図１に示す例では右側縁部であったが、左側縁部であってもよく、左右いずれか一側の縁部であれば良い。
【符号の説明】
【００１６】
１                    会計伝票
２                    注文用伝票用紙
２１                  合計金額記録部
２１ａ                合計欄
２２                  注文記録部
２２ａ                注文欄
３                    控え用複写伝票用紙
３１                  注文記録部
３１ａ                注文欄
３２                  片側縁部
４                    接着部
５                    伝票ホルダー
【図１】
0003157021.tif 000003
【図２】
0003157021.tif 000004
【図３】
0003157021.tif 000005
【図４】
0003157021.tif 000006